(57)【特許請求の範囲】
【請求項１】
上部棚の下面にこの上部棚が設けられている壁面とほぼ平行なガイドレールと、このガイドレールに移動できるように保持されてラックから上方に延びる支持線材の上端を支持しラックをガイドレールに移動できるように吊持するスライダとを備えた移動ラック装置において、
スライダはガイドレールの溝とこれの幅方向に係合して溝に沿い移動できるように保持され、支持線材の上端を下方より受入れる支持孔と、この支持孔の口縁で下方に突出する中空の雄ねじ部と、下端より雄ねじ部および支持孔を通るように溝とほぼ平行に切り込まれて上端部にヒンジ連結部を残し、スライダと溝とを係脱させる遊びを与える割溝を持ち、支持線材の上端部引っ掛かりの下に通されて前記雄ねじ部に下方から螺合し支持孔に挿入した支持線材の上端部引っ掛かりをスライダ側に締付けるナットを備えたことを特徴とする移動ラック装置。
【請求項２】
溝とスライダとは上下方向の複数箇所にて係合し合う請求項１に記載の移動ラック装置。
【請求項３】
溝とスタイダとは、溝の内面に相対向するように設けられたガイドフランジとこれに対応するようにスライダに設けられた凹条とが係合し合う請求項１、２のいずれかに記載の移動ラック装置。
【請求項４】
ガイドレールは前後に複数設けられ、互いに所定の間隔を持って１つのガイドレール部材に一体成形されている請求項１〜３のいずれかに記載の移動ラック装置。
【請求項５】
ガイドレール部材は照明器具の取付け部も一体成形されている請求項４に記載の移動ラック装置。
【請求項６】
前後のガイドレールの間に照明器具を収納する照明室を形成している請求項５に記載の移動ラック装置。
【請求項７】
照明室の前後のガイドレールが対向し合う対向面の下端部に照明カバーを取付けるカバー取付けフランジを形成している請求項６に記載の移動ラック装置。
【請求項８】
ラックは少なくとも２本の支持線材を有し、それらの上端の間隔が前後に並ぶ一対のガイドレールの間隔と一致している請求項４〜７の移動ラック装置。
【発明の詳細な説明】
【０００１】
【産業上の利用分野】
本発明は移動ラック装置に関し、例えば家庭のキッチンの流し台の上に設けられる吊り戸棚等の各種上部棚を利用して設置されて好適な移動ラック装置に関するものである。
【０００２】
【従来の技術】
実開昭６１−６０８４０号公報は、一般家庭のキッチンの流し台の上に設けられる吊り戸棚を利用して設置される移動戸棚を開示している。
【０００３】
この移動戸棚は、吊り戸棚の下面に設けられた前後一対のガイドレールによって左右前後の４か所を移動できるように支持されている。また移動戸棚は前後に二重に設けられ、双方が相対移動できるものと、一方が固定されるものとがある。
【０００４】
移動戸棚はこれに収納した物が関係する作業位置、例えば流し台の水槽部、ワークトップの作業面部、あるいはワークトップのコンロ部等の各種調理や作業の位置に移動させることにより、各種作業に便利になる。移動戸棚が複数あると、作業の種類に合わせて分類した物を個別に収納しておき、これらを必要に応じて移動し個別に扱える。この場合、二重の移動戸棚は不使用時に前後に重なるようにすると、これらを小さなスペースにまとめてかさ張らないようにすることができ、また他の作業、あるいは窓を通じた日照や視界等の邪魔になり難くするし、外観もよくなる。
【０００５】
【発明が解決しようとする課題】
しかし、上記公報に開示のものや、他に知られている移動戸棚は、複数組み合わせて設けられても、支持構造上着脱できないので、支持位置を左右に、あるいは前後に入れ変えるようなことはできず不便である。
【０００６】
本発明は、このような問題を解消することを課題とし、移動戸棚が主として軽量かつ少量の物品が収納されることが多いことに着目し、ラックを簡易で安価なしかもどの位置にても着脱できる支持構造にて移動できるように支持する移動ラック装置を提供することを主たる目的とするものである。
【０００７】
【課題を解決するための手段】
本発明の移動ラック装置は上部棚の下面にこの上部棚が設けられている壁面とほぼ平行なガイドレールと、このガイドレールに移動できるように保持されてラックから上方に延びる支持線材の上端を支持しラックをガイドレールに移動できるように吊持するスライダとを備えたものであって、
請求項１の発明は、上記のような目的を達成するために、スライダはガイドレールの溝とこれの幅方向に係合して溝に沿い移動できるように保持され、支持線材の上端を下方より受入れる支持孔と、この支持孔の口縁で下方に突出する中空の雄ねじ部と、下端より雄ねじ部および支持孔を通るように溝とほぼ平行に切り込まれて上端部にヒンジ連結部を残し、スライダと溝とを係脱させる遊びを与える割溝を持ち、支持線材の上端部引っ掛かりの下に通されて前記雄ねじ部に下方から螺合し支持孔に挿入した支持線材の上端部引っ掛かりをスライダ側に締付けるナットを備えたことを特徴とするものである。
【０００８】
請求項２の発明は、請求項１の発明においてさらに、ラックの支持および移動が安定化するために、溝とスライダとが上下方向の複数箇所にて係合し合うようにしている。
【０００９】
請求項３の発明は、請求項１、２の発明のいずれかにおいてさらに、ラックの支持および移動のさらなる安定を図るために、溝とスライダとが、溝の内面に相対向するように設けられたガイドフランジとこれに対応するようにスタイダに設けられた凹条とが係合し合うようにしている。
【００１０】
請求項４の発明は、請求項１〜３の発明のいずれかにおいてさらに、複数のガイドレールを簡易に取付け、しかも相互の間隔が正確でラックを種々の支持パターンに支持するのにさらに有効にするために、ガイドレールが前後一対設けられ、互いに所定の間隔を持って１つのガイドレール部材に一体成形されている。
【００１１】
請求項５の発明は、請求項４の発明においてさらに、構造の複雑化なく、照明器具の取付けに便利にするため、ガイドレール部材が照明器具の取付け部も一体成形されている。
【００１２】
請求項６の発明は、請求項５の発明においてさらに、構造の複雑化やかさ張りなしに照明器具を取付けられるようにするため、前後のガイドレールの間に照明器具を収納する照明室を形成している。
【００１３】
請求項７の発明は、請求項６の発明のいずれかにおいてさらに、構造の複雑化なく照明器具を体裁よく設けられるようにするため、照明室の前後のガイドレールが対向し合う対向面の下端部に照明カバーを取付けるカバー取付けフランジを形成している。
【００１４】
請求項８の発明は、請求項４〜７の発明のいずれかにおいてさらに、ラックの支持パターンの増大を図るために、ラックが少なくとも２本の支持線材を有し、それらの上端の間隔が前後に並ぶ一対のガイドレールの間隔と一致している。
【００１５】
本発明のそれ以上の目的および特徴は以下の説明および図面に記載によって明らかにされる。
【００１６】
【作用】
請求項１の発明の移動ラック装置の上記構成では、吊り戸棚等の上部棚の下面のガイドレールの溝に移動できるように保持したスライダで、ラックから上方に延びる支持線材の上端を支持し、スライダの移動によってラックを溝に沿って前記壁面にほぼ平行に移動させられるようにするが、
特に、スライダは溝にほぼ平行な割溝による遊び分だけ、この溝がスライダの上部に残しているヒンジ部を支点として開閉されて、開き状態では溝と幅方向に係合し合うように溝幅方向寸法が増大し、溝内で開き状態にすることによって、溝と幅方向に係合し溝に沿って移動できる保持状態となり、この保持状態のスライダの支持孔にラックから上方に延びる支持線材の上端部を下方より挿入すると、スライダはこの支持線材が邪魔になって閉じられるのを阻止されるし、この状態でスライダの雄ねじ部に支持線材の上端部引っ掛かりの下に通されたナットを螺合して支持線材の上端部引っ掛かりをスライダ側に締めつけることによって、支持線材の側からナットやスライダに前記締付けを緩めるような力が働くようなことなく支持線材をスライダへの挿入状態に確実に固定するので、各ラックの支持線材をガイドレールの溝に沿って移動できるようにスライダを介し確固に支持できる。
【００１７】
しかも、ナットを緩めて雄ねじ部から取り外すと、ラックの支持線材をスライダの支持孔から抜き出し、ラックをガイドレールから取り外せるし、また、スライダも支持線材による邪魔なくヒンジ部を支点にして割溝による遊び分を閉じた状態にすることにより、ガイドレールの溝との幅方向の係合が外れて溝の途中のどの位置にても下方へ取り外し、また、逆に嵌め付けることもできるので、スライダをガイドレールの端部からしか着脱できない場合に比して、スライダおよびラックの着脱に便利で、スライダおよびこれを利用したラックの取付けおよび取外し、およびこれによるラックの交換や増減を作業性よく達成することができる。
【００１８】
さらに、ラックをガイドレールの溝に移動できるように支持するのに、２つ割り構造のスライダとナットとの２部材があればよく、構成の簡単な安価なものとなる。
【００１９】
請求項２の発明の上記構成では、請求項１の発明においてさらに、溝とスライダとが上下方向の複数箇所にて係合し合って、スライダは上下複数段にてガイドに保持され、ラックに掛かる荷重を各段に分担して軽く受けるし、ラックの荷重がスライダに偏って働いても上下の複数段支持のためにスライダに傾きやこじれが生じ難いので、ラックの支持および移動を安定化することができる。
【００２０】
請求項３の発明の上記構成では、請求項１、２の発明のいずれかにおいてさらに、溝とスライダとが、溝の内面に相対向するように設けられたガイドフランジとこれに対応するようにスライダに設けられた凹条とが係合し合い、スライダの直進性を向上するので、双方をこじれにくくし、ラックの支持および移動のさらなる安定を図ることができる。
【００２１】
請求項４の発明の上記構成では、請求項１〜３の発明のいずれかにおいてさらに、前後に設けられた複数のガイドレールによって、ラックの前後左右各部から上方に延びる支持線材を、それぞれに対応する位置に分担して支持することにより、大型のラックでも安定して支持し移動できるようにし、また、奥行きの小さい異なった種類のラックを前後のガイドレールにて個別に支持することにより、前後のラックを干渉なく自由に移動させて使用し、また位置させられる上、複数のガイドレールの間隔が正確で、これに一致する上端間隔を持った２本の支持線材を有したラックにつき、２本の支持線材が前後のガイドレールに個別に支持される向きと、同じガイドレールに支持される向きとに位置ずれの問題なく容易かつ確実に選択的に支持でき、ラックの支持パターンを増大するのに便利である。
【００２２】
請求項５の発明の上記構成では、請求項４の発明においてさらに、ガイドレール部材に照明器具の取付け部も一体成形されていて、特別な部材なしに照明器具を取り付け、移動ラック装置が用いられる部分での作業に便利に使用されることができる。
【００２３】
請求項６の発明の上記構成では、請求項５の発明においてさらに、前後のガイドレールの間に形成した照明室に照明器具を収納し設置することにより、構造の複雑化やかさ張りなしに照明器具を取付けられる利点がある。
【００２４】
請求項７の発明の上記構成では、請求項６の発明においてさらに、照明室の前後のガイドレールが対向し合う対向面の下端部に設けられたカバー取付けフランジを利用して、照明カバーを取付けることができるので、構造の複雑化なく照明器具を体裁よく設けられる。
【００２５】
請求項８の発明の上記構成では、請求項４〜７の発明のいずれかにおいてさらに、ラックが少なくとも２本の支持線材を有していることによって、ガイドレールの溝に沿って移動し、またどの位置からでも着脱できるように支持することができ、各種の支持パターンを満足しながら支持構造が簡略化しコストもその分だけ低減する。また、少なくとも２本の支持線材の上端の間隔が前後に並ぶ一対のガイドレールの間隔と一致しているラックであると、請求項４の発明におけるラックの支持パターンを増大するような使用に有効である。
【００２６】
【実施例】
本発明に係る移動ラック装置の第１の実施の形態について、図１〜図５を参照しながら以下に説明する。
【００２７】
この場合の移動ラック装置は、図５に示すような一般家庭のキッチンに設置される流し台１の上に設けられる吊り戸棚２に適用した場合のものである。しかし、これに限られることはなく、吊り戸棚２に代わり得る上部棚、あるいは梁の下面等でもよい。
【００２８】
流し台１は、ワークトップ３の作業面３ａの左端にコンロ４が設けられ、これの下にはオーブンレンジ５が設けられている。作業面３ａの残りのスペースのほぼ中央に作業面３ａから凹陥した水槽６が設けられている。吊り戸棚２は、コンロ４にほぼ対応する左寄り部分に換気扇を持った排気フード７が設けられ、これの左側部分と右側部分とに収納部８を持っている。
【００２９】
吊り戸棚２の収納部８の下面８ａに設けたガイドレール９によって、ラック形態が異なる各種のラック１１〜１４を吊り戸棚２が設けられた壁面１５とほぼ平行に移動できるように吊持している。このためガイドレール９は壁面１５にほぼ平行なようにして、前後に一対設けられている。しかし、ガイドレール９は１本でもよいし、３本以上となってもよい。
【００３０】
前後左右の複数のラック１１〜１４を必要に応じて移動させて使い分けたり、また不使用時は他の作業、あるいは窓を通じた日照や視界の邪魔にならない位置に移動させたり、前後のものを重ねて小さなスペースにまとめてかさ張らないようにしておける。
【００３１】
図５の右端のラック１１は、吊り戸棚２の前縁部を残す奥行きにほぼ対応した奥行き寸法を有するのに対し、他のラック１２〜１４は前記ラック１１の奥行きの半分弱の奥行き寸法としてある。
【００３２】
複数のガイドレール９は、アルミニウム等の金属材料からなる図１〜図３に示すような押出し型材としての１つのガイドレール部材２０に、互いに所定の間隔Ｄ１を持って一体成形され、ねじ２１により吊り戸棚２の下面８ａに取付けられている。
【００３３】
各ガイドレール９、９はスライダ２２を自身の溝９ａ、９ａとこれの幅方向に係合して溝９ａ、９ａに沿い移動できるように保持するとともに、スライダ２２には、各ラック１１〜１４から上方に延びる支持線材２３の上端部２３ａ、２３ａを下方より受入れる支持孔２２ａと、この支持孔２２ａの口縁で下方に突出する中空の雄ねじ部２２ｂと、下端より雄ねじ部２２ｂおよび支持孔２２ａを通るように溝９ａ、９ａとほぼ平行に切り込まれて上端部にヒンジ連結部２２ｃを残し、スライダ２２と溝９ａとを係脱させる遊びを与える割溝２２ｄを持ち、図３に示すような支持線材２３の上端部引っ掛かり２３ｂの下に通され前記雄ねじ部２２ｂに下方から螺合し支持孔２２ａに挿入した支持線材２３の上端部引っ掛かり２３ｂをスライダ２２側に締付ける樹脂製のナット２４を備えている。スライダ２２は例えばナイロンやポリエスール等の樹脂材料が好適である。ナットも同じ材料としてもよいが、特別な滑り特性や剛性を必要としないので、比較的に自由に材料を選択できる。
【００３４】
スライダ２２およびナット２４は図４に詳細に示してある。雄ねじ部２２ｂの基部外周には係止切欠き部６１ａを有する緩み止め突片６１が一体形成され、ナット２４の先端部内周には、支持線材２３の上端部２３ａを支持孔２２ａに挿入した状態に固定する最終回転位置で前記係止切欠き部６１ａに弾性係合する係止凸部６２が設けられ、この弾性係合によって軽い係合音を伴う緩み止めがなされ、固定ができたことを作業者に認識させられる。ナット２４が人の操作なしに自然に緩むのを前記係合によって防止できるようにしている。また、ナット２４を緩めるときは係止凸部６２が係止切欠き部６１ａとの係合から弾性的に外れて、ナット２４を取外せるが、前記係合が外れるときにも軽い係合外れ音がするので、これを作業者に認識させることができる。また、ナット２４の外周には回転操作時の滑り止めと前記係止凸部６２の位置を作業者に認識させる指標とを兼ねる突起６３が設けられている。
【００３５】
上端部引っ掛かり２３ｂは図３に示すように支持線材２３の上端部２３ａの下の環状溝２３ｃにｅ型のスナップリング２３ｅを弾性的に装着して形成されている。しかし、これに限られることはなく、支持線材２３に一体形成されることができ、下向きの単なる段差面とすることもできる。また、これらに代えて支持線材に貫通させたピンを採用することもできる。要するに支持線材２３をスライダ２２の支持孔２２ａ内に挿入して抜け止め状態に固定できる引っ掛かりを持つものであればどのようなものをも採用することができる。
【００３６】
溝９ａとスタイダ２２とは、溝９ａの内面に相対向するように設けられたガイドフランジ９ｂ、９ｂと、これらに対応するようにスライダ２２に設けられた凹条２２ｅとで、図１、図２に示すように溝９ａの幅方向に係合し合うようになっている。これら溝９ａとスライダ２２との係合は、上下２段にて行われるようにしてある。なお、図示のものでは下段の凹条２２ｅは下方にも開放した形になっている。
【００３７】
もっとも、このような係合は１段だけで行ってもよいし、２段以上行ってもよい。
【００３８】
また、ガイドレール部材２０は、前後のガイドレール９ａ、９ａの間を利用して、照明器具３２を収納する照明室３３を一体に形成している。照明器具３２は蛍光灯を使用するものであるが、図１、図２に示すように照明室３３の天井壁３３ａに取付けてある。
【００３９】
これは、照明室３３内に面する各ガイドレール９、９の対向面９ｃ、９ｃの下端部に照明カバー３４を取付けるカバー取付けフランジ３３ｂを形成してあり、これに照明器具３２が干渉しないためである。カバー取付けフランジ３３ｂ、３３ｂには樹脂製の照明カバー３４に一体形成した弾性取付け片３４ａを弾性的に下方から係合させることにより、着脱できるように装着し、照明室３３内の照明器具３２を覆っている。
【００４０】
このように、前後のガイドレール９、９の間に形成した照明室３３に照明器具３２を収納し設置すると、構造の複雑化やかさ張りなしに照明器具３２を取付けられる利点がある。また、照明室３３の前後のガイドレール９、９が対向し合う対向面９ｃ、９ｃの下端部に設けられたカバー取付けフランジ３３ｂを利用して、照明カバー３４を取付けるので、構造の複雑化なく照明器具３２を体裁よく設けられる。
【００４１】
吊り戸棚２の閉じられた正面扉３５の真下に位置するように設けた飾り縁３８が設けられ、この飾り縁３８とガイドレール部材２０との間には照明器具３１と巻取り式のスクリーン３６とが設けられ、吊り戸棚２の下面８ａに取付けてある。スクリーン３６は操作部３７を上下に操作して所望高さ位置まで引出し、ラック１１〜１４への収納部の全体あるいは、見せたくない高さ範囲を覆い隠せるようにしてある。７１は下面８ａの一部に設けたコンセント、７２はコード掛けであって、コンセント７１に接続したコーヒーメーカ等の電気機器７３からの電源コード７４を引っかけ、流し台１での作業に電源コード７４が邪魔にならないようにする。
【００４２】
図１は独立キッチンシステムの場合を示し、流し台１の後方は壁面１５であるが、この部分に窓等の開口があるリビングや食堂等との対面用の開口を有するいわゆる対面キッチンシステムの場合では、この開口部にもラック１１〜１４の収納部の全体あるいは必要高さ範囲を覆い隠せるようにした巻取り式のスクリーンを設けるのが好適である。
【００４３】
図１では独立キッチンシステムであるので、吊り戸棚２の下面８ａの、ガイドレール部材２０と壁面１５との間には、押出し型材よりなる目隠し材４１を取付け、これの中空部分４１ａを利用して配線等ができるようにしてある。目隠し材４１の下面には配線の出し入れや点検を行う開口４１ｂを設け、樹脂等からなる適当なカバー４２を着脱できるように装着してある。
【００４４】
以上のように、吊り戸棚２の下面８ａのガイドレール９、９に移動できるように保持したスライダ２２で、ラック１１〜１４から上方に延びる支持線材２３の上端部２３ａを支持し、スライダ２２の移動によってラック１１〜１４を前記壁面１５にほぼ平行に移動させられる。
【００４５】
スライダ２２は溝９ａ、９ａにほぼ平行な割溝２２ｄによる図３の遊び分Ｓ１だけ、この割り溝２２ｄがスライダ２２の上部に残しているヒンジ連結部２２ｃを支点として図３の実線の状態と仮想線の状態との間で開閉される。スライダ２２の開き状態では溝９ａと幅方向に係合し合うように溝幅方向寸法が図３に示すＤ１に増大するので、溝９ａ内で開き状態にすることによって、図１、図２に示すように溝９ａと幅方向に係合し溝９ａに沿って移動できるように保持状態とすることができる。
【００４６】
この保持状態のスライダ２２の支持孔２２ａにラック１１〜１４から上方に延びる支持線材２３の上端部２３ａを図１、図２に示すように下方より挿入すると、スライダ２２はこの支持線材２３が邪魔になって閉じられるのを阻止されるし、この状態でスライダ２２の雄ねじ部２２ｂにナット２４を螺合して支持線材２３の上端部引っ掛かり２３ｂをスライダ２２側に図１、図２に示すように締め付けると、支持線材２３側からナット２４やスライダ２２に前記締付けを緩めるような力が働くようなことなく支持線材２３をスライダ２２への挿入状態に確実に固定することができる。
【００４７】
したがって、各ラック１１〜１４の支持線材２３をガイドレール９、９の溝９ａ、９ａに沿って移動できるようにスライダ２２を介し確固に支持した状態となる。
【００４８】
しかも、ナット２４を緩めて雄ねじ部２２ｂから取り外すと、ラック１１〜１４の支持線材２３をスライダ２２の支持孔２２ａから抜き出し、ラック１１〜１４をガイドレール９、９から取り外せるし、スライダ２２も支持線材２３の邪魔なくヒンジ連結部２２ｃを支点にして割溝２２ｄによる図３の遊び分Ｓ１を閉じた状態にして幅方向寸法を図３のＢ２と小さくすることにより、ガイドレール９の溝９ａとの幅方向の係合が外れて溝９ａの途中のどの位置にても下方へ取り外し、また、逆に嵌め付けることもできるので、スライダ２２をガイドレール９の端部からしか着脱できない場合に比して、スライダ２２およびラック１１〜１４の着脱に便利で、スライダおよびこれを利用したラックの取付けおよび取外し、およびこれによるラック１１〜１４の交換や増減を作業性よく達成することができる。
【００４９】
そして、ラック１１〜１４をガイドレール９、９の溝９ａ、９ａに移動および着脱できるように支持するのに、２つ割り構造のスライダ２２とナット２４との２部材があればよく、構成の簡単な安価なものとなる。
【００５０】
しかも、溝９ａとスライダ２２とが上下方向の複数箇所にて係合し合うので、スライダ２２は上下複数段にてガイドに保持され、各段の係合部でラック１１〜１４の荷重を分担して軽く受けるし、ラック１１〜１４の荷重がスライダ２２に偏って働いてもスライダ２２に傾きやこじれが生じ難いので、ラック１１〜１４の支持および移動を安定化することができる。
【００５１】
さらに、溝９ａとスライダ２２とが、溝９ａの内面に相対向するように設けられたガイドフランジ９ｂとこれに対応するようにスライダ２２に設けられた凹条２２ｅとが係合し合っていることによって、スライダ２２の直進性を向上するので、双方をこじれにくくし、ラック１１〜１４の支持および移動がさらに安定化する。
【００５２】
また、前後に設けられた２本のガイドレール９、９によって、ラック１１〜１４の前後各部から上方に延びる支持線材２３を、それぞれに分担して支持することにより、図５に示すような奥行きの大きい大型のラック１１でも安定して支持し移動できるようにし、また、図５に示すような奥行きがラック１１よりも半分以下と小さく異なった各種のラック１２、１３を前後のガイドレール９、９にて個別に支持することにより、前後のラック１２、１３を干渉なく自由に移動させて使用し、また位置させられる。また、２本のガイドレール９、９の間隔Ｄ１がガイドレール部材２０を利用した一体成形により正確であるので、これに一致する上端の間隔Ｄ１を持った２本の支持線材２３を有する図５に示すラック１４につき、２本の支持線材２３を前後のガイドレール９、９に個別に支持する向きと、同じガイドレール９、９に支持する図示しない向きとに位置ずれの問題なく容易かつ確実に選択的に支持でき、ラック１４の支持パターンを増大するのに便利である。
【００５３】
以上で明らかなように、ラック１１〜１４は少なくとも２本の支持線材２３を有していることによって、ガイドレール９の溝９ａに沿って移動し、またどの位置からでも着脱できるように支持することができ、支持構造が簡略化しコストもその分だけ低減する。
【００５４】
図６、図７は４本の支持線材２３を利用して支持する他のラック５１、５２を示し、前側の支持線材２３の上端の間隔が後ろ側の支持線材２３の上端の間隔よりも大きくして、棚が前側に大きく張り出すタイプのラック５１、５２を安定して支持できるようにしている。支持線材２３の前後方向の上端間隔がＤ１になっている。
【００５５】
しかし、ラック１１、５１、５２の４本の支持線材２３の上端の前後左右の間隔をＤ１に設定すると、これのガイドレール９、９を利用した支持を、ラックの前部が前向きになる場合と、横向きになる場合との支持が可能となる。
【００５６】
図８〜図１２は２本の支持線材２３を持った他のラック５３〜５７を示している。図１３は図５に示したラック１４の具体的な構造を示している。支持線材２３の上端の左右間隔が前記したようにＤ１となっている。
【００５７】
これによって、図５に示すように２本のガイドレール９、９に跨がって横向きに支持することができ、コンロ４での調理の際に、図５に示すようにその近くに移動させておくことにより、小物棚１１ｂに載せてある各種の調味料を必要に応じて使用したり、調理の最中に調理容器から取り外した蓋を蓋棚１１ａに掛け止めるなどして、調理に便利を図ることができる。
【００５８】
なお、ラック１１〜１４、５１〜５７はそれぞれ、金属製線材を種々に折曲げ、また溶接により結合されて形成されている。これらのラック構造はどのようなものでもよいが、ラックを構成する金属製線材の一部を上方に延長することにより、支持線材２３を形成している。したがって、支持線材２３を設けるための特別な部材や結合構造が不要なため、この分だけ製品コストを低減することができる。ラックにこのような支持線材として延長させる適当な金属製線材がないような場合は、支持線材２３を特別に用意して取付けることもできる。
【００５９】
また、支持線材２３はこれの上端部２３ａをスライダ２２に連結してラック１１〜１４、５１〜５７を支持し、これらの重心まわりのバランスが採れるようにするために、各支持線材２３を上端部２３ａとの間で折曲げることにより、上端部２３ａを必要な支持位置に位置するようにしている。しかし、これには種々の方法が考えられるし、ラックの構造が異なればこれに限ることもない。
【００６０】
【発明の効果】
請求項１の発明によれば、吊り戸棚等の上部棚の下面のガイドレールの溝に移動できるように保持したスライダで、ラックから上方に延びる支持線材の上端を支持し、スライダの移動によってラックを溝に沿って前記壁面にほぼ平行に移動させられるようにするのに、スライダは割溝を利用した開閉によってガイドレールの溝の途中のどの位置にても下方へ取り外し、また、逆に嵌め付けて幅方向に係合させてラックから上方に延びる支持線材を受け入れて支持し、また取り外せるし、支持状態ではスライダの割溝が受入れた支持線材の上端部に邪魔されて溝との幅方向の係合は外れる閉じ状態になるのを阻止されるとともに、この受け入れ状態がナットの締付けによって確固に保持されてラックを確固にでき、スライダをガイドレールの端部からしか着脱できない場合に比して、スライダおよびラックの着脱に便利で、スライダおよびこれを利用したラックの取付けおよび取外し、およびこれによるラックの交換や増減を作業性よく達成することができる。
【００６１】
しかも、ラックをガイドレールの溝に移動および着脱できるように支持するのに、２つ割り構造のスライダとナットとの２部材があればよく、構成の簡単な安価なものとなる。
【００６２】
請求項２の発明によれば、溝とスライダとが上下方向の複数箇所にて係合し合ってラックに掛かる荷重を各段に分担して軽く受けるし、ラックの荷重がスライダに偏って働いても上下の複数段支持のためにスライダに傾きやこじれが生じ難いので、ラックの支持および移動を安定化することができる。
【００６３】
請求項３の発明によれば溝とスライダとが、ガイドフランジと凹条とで係合していて、スライダの直進性を向上するので、双方をこじれにくくし、ラックの支持および移動のさらなる安定を図ることができる。
【００６４】
請求項４の発明によれば、前後に設けられた複数のガイドレールによって、ラックの前後左右各部にある支持線材を、それぞれに対応する位置に分担して支持して、大型のラックでも安定して支持し移動できるようにする。また、奥行きの小さい異なった種類のラックを前後のガイドレールにて個別に支持して、前後のラックを干渉なく自由に移動させて使用し、また位置させられる上、複数のガイドレールの間隔が正確で、これに一致する上端間隔を持った２本の支持線材を有したラックにつき、２本の支持線材が前後のガイドレールに個別に支持される向きと、同じガイドレールに支持される向きとに位置ずれの問題なく容易かつ確実に選択的に支持でき、ラックの支持パターンを増大するのに便利である。
【００６５】
請求項５の発明によれば、ガイドレール部材に一体成形された取付け部にて特別な部材なしに照明器具を取り付け、移動ラック装置が用いられる部分での作業に便利に使用されることができる。
【００６６】
請求項６の発明によれば、請求項５の発明においてさらに、前後のガイドレールの間に形成した照明室に照明器具を収納し設置し、構造の複雑化やかさ張りなしに照明器具を取付けられる利点がある。
【００６７】
請求項７の発明によれば、請求項６の発明においてさらに、照明室の前後のガイドレールが対向し合う対向面の下端部に設けられたカバー取付けフランジを利用して、照明カバーを取付けることができるので、構造の複雑化なく照明器具を体裁よく設けられる。
【００６８】
請求項８の発明によれば、請求項４〜７の発明のいずれかにおいてさらに、ラックが少なくとも２本の支持線材を有していることによって、ガイドレールの溝に沿って移動し、またどの位置からでも着脱できるように支持することができ、各種の支持パターンを満足しながら支持構造が簡略化しコストもその分だけ低減する。また、少なくとも２本の支持線材の上端の間隔が前後に並ぶ一対のガイドレールの間隔と一致しているラックであると、請求項４の発明におけるラックの支持パターンを増大するような使用に有効である。
【図面の簡単な説明】
【図１】本発明の移動ラック装置の１つの実施の形態を示す吊り戸棚部の断面図である。
【図２】図１のガイドレールによるラックを吊持した部分を断面図である。
【図３】図２のガイドレールによるラックを吊持する部分の分解斜視図である。
【図４】図１〜図３に示すガイドレールにラックを吊持するためのスライダとナットとを示す各種図である。
【図５】図１、図２の移動ラック装置を採用した一般家庭のキッチン回りを示す斜視図である。
【図６】４本の支持線材を有するラックの他の形態を示す斜視図である。
【図７】４本の支持線材を有するラックの今１つの形態を示す斜視図である。
【図８】２本の支持線材を有するラックの他の形態を示す斜視図である。
【図９】２本の支持線材を有するラックの別の形態を示す斜視図である。
【図１０】２本の支持線材を有するラックの今１つの形態を示す斜視図である。
【図１１】２本の支持線材を有するラックのさらに他の形態を示す斜視図である。
【図１２】２本の支持線材を有するラックのさらに別の形態を示す斜視図である。
【図１３】２本の支持線材を有するラックで図５に示すものの斜視図である。
【符号の説明】
２  吊り戸棚
８ａ  下面
９  ガイドレール
９ａ  溝
９ｃ  ガイドフランジ
１１〜１４、５１〜５７  ラック
２２  スライダ
２２ａ  支持孔
２２ｂ  雄ねじ部
２２ｃ  ヒンジ連結部
２２ｄ  割溝
２２ｅ  凹条
２３  支持線材
２３ａ  上端部
２３ｂ  引っ掛かり
２４  ナット
３１、３２  照明器具
３４  照明カバー
３３  照明室
３３ｂ  カバー取付けフランジ
【図１】
0003578521.tif 000002
【図２】
0003578521.tif 000003
【図３】
0003578521.tif 000004
【図４】
0003578521.tif 000005
【図５】
0003578521.tif 000006
【図６】
0003578521.tif 000007
【図７】
0003578521.tif 000008
【図８】
0003578521.tif 000009
【図９】
0003578521.tif 000010
【図１０】
0003578521.tif 000011
【図１１】
0003578521.tif 000012
【図１２】
0003578521.tif 000013
【図１３】
0003578521.tif 000014